(57)【要約】  各誤り訂正符号（ＥＣＣ）ブロックの物理アドレスと各ＥＣＣブロックのディスク上の対応する位置との間に一定の関係が備えられることを示す情報を保存するリードイン部を持つ光ディスクを含む記録担体を製造する方法及び記録担体。データの記録及び／又は読み込みのための前記ディスク上のＥＣＣブロックへの高速なアクセスの可能性を提供する。ＣＤ−ＲＯＭ、ＣＤ−Ｒ、ＣＤ−ＲＷ、ＤＶＤ−ＲＯＭ、ＤＶＤ−Ｒ、ＤＶＤ＋Ｒ、ＤＶＤ−ＲＷ、ＤＶＤ＋ＲＷのような既存のグルーブのみのフォーマットに容易に適用されることができ、それ故「下位互換」である。更に、記録担体への／記録担体からのデータの記録及び／又は読み込みのための装置は、リードイン部中の情報を読み込み、それに従って、即ち可能であれば高速なアクセス、可能でなければ通常のアクセスを実行することが可能である。
2005510003.tif 000002
【特許請求の範囲】
【請求項１】
光ディスクを含む記録担体であって、
略線速度一定でデータを記録及び／又は読み込むための連続的な螺旋状に巻かれたデータ領域と、
前記データ領域に存する各誤り訂正符号ブロックについて、所定の誤り訂正符号ブロックの物理アドレスと前記誤り訂正符号ブロックのデータ領域上の位置との間に一定の関係を備える、前記データ領域中の複数の同期要素と、
誤り訂正符号ブロックにアクセスするための前記ディスクの特定のフォーマットを示す情報を保存するリードイン部と、
を持つ記録担体。
【請求項２】
前記誤り訂正符号ブロックの位置は更に、前記ディスクのｎ回転後の同期要素の数とｎ回転後の同期要素の算出された公称の数とについての規定に従って定義され、ここでｎはトラック番号である、請求項１に記載の記録担体。
【請求項３】
前記誤り訂正符号ブロックの位置は更に、任意のｎ回転について±ｍ個の同期要素の精度で、ｎ回転後の同期要素の前記公称の数と等しい、前記ディスクのｎ回転後の同期要素の実際の数に従って定義され、前記リードイン部は精度ｍを示す情報を更に保存する、請求項２に記載の記録担体。
【請求項４】
前記誤り訂正符号ブロックの物理アドレスと前記誤り訂正符号ブロックのデータ領域上の位置との前記一定の関係は、前記同期要素と前記誤り符号訂正符号ブロックの位置に対応するトラック番号及び角位置との間の既知の関係によって定義される、請求項１乃至３のいずれか一項に記載の記録担体。
【請求項５】
前記同期要素は、前記ディスクのデータ領域上にウォブル、チャネルビット、サブコードフレーム、シンクフレーム、記録フレーム及び物理セクタの少なくとも１つを有する、請求項１乃至４のいずれか一項に記載の記録担体。
【請求項６】
前記リードイン部は更に、前記データ領域上に存する誤り訂正符号ブロックの少なくともかなりの部分の位置を保存する、請求項１乃至５のいずれか一項に記載の記録担体。
【請求項７】
記録担体を製造する方法であって、
略線密度一定でデータを記録及び／又は読み込むための連続的な巻かれたデータ領域を持つ光ディスクを備えるステップと、
前記データ領域中に複数の同期要素を備えるステップと、
前記データ領域に存する各誤り訂正符号ブロックについて、前記複数の同期要素によって、所定の誤り訂正符号ブロックの物理アドレスと前記誤り訂正符号ブロックのデータ領域上の位置との間の一定の関係を備えるステップと、
前記光ディスクにリードイン部を備えるステップと、
前記誤り訂正符号ブロックにアクセスするための前記ディスクの特定のフォーマットを示す情報を前記リードイン部に保存するステップと、
を有する方法。
【請求項８】
前記ディスクのｎ回転後の同期要素の数とｎ回転後の同期要素の算出された公称の数とについての規定に従って、誤り訂正符号ブロックの位置を定義するステップを更に有し、ここでｎはトラック番号である、請求項７に記載の方法。
【請求項９】
任意のｎ回転について±ｍ個の同期要素の精度で、ｎ回転後の同期要素の前記公称の数と等しい、前記ディスクのｎ回転後の同期要素の実際の数に従って、誤り訂正符号ブロックの位置を定義するステップを更に有し、前記保存するステップは更に、前記リードイン部に精度ｍを示す情報を保存するステップを有する、請求項８に記載の方法。
【請求項１０】
所定の誤り訂正符号ブロックの物理アドレスと前記誤り訂正符号ブロックのデータ領域上の位置との間の一定の関係を、前記同期要素と前記誤り訂正符号ブロックの位置に対応するトラック番号及び角との間の既知の関係によって定義するステップを更に有する、請求項７乃至９のいずれか一項に記載の方法。
【請求項１１】
前記保存するステップは、前記リードイン部中のデータ領域に存する誤り訂正符号ブロックの少なくともかなりの部分の位置を保存するステップを更に有する、請求項７乃至１０のいずれか一項に記載の方法。
【請求項１２】
前記同期要素によってディスク回転と書き込みクロックとの間の結合を備えるステップを更に有する、請求項７乃至１１のいずれか一項に記載の方法。
【請求項１３】
記録担体にデータを記録する及び／又は記録担体からデータを読み込む装置であって、前記記録担体は、略線密度一定でデータを記録及び／又は読み込むための連続的な螺旋状に巻かれたデータ領域と、前記データ領域に存する所定の誤り訂正符号ブロックにアクセスするためのディスクの特定のフォーマットを示す情報を保存するためのリードイン部を持つ光ディスクを含み、前記装置は、
前記データ領域の前記リードイン部から情報を読み込む手段と、
前記アクセスが実行されている間、前記誤り訂正符号ブロックの読み込み及び／又は書き込みのための所定の誤り訂正符号ブロックの位置にアクセスする手段と、
を有し、前記アクセスは前記リードイン部から読み込まれた情報に従って実行される装置。
【請求項１４】
前記データ領域上の誤り訂正符号ブロックの位置は更に、任意のｎ回転について±ｍ個の同期要素の精度で、ｎ回転後の同期要素の算出された公称の数と等しい、前記ディスクのｎ回転後の同期要素の実際の数に従って定義され、前記データ領域のリードイン部中の情報は更に精度ｍを示す情報を有し、前記データ領域のリードイン部から情報を読み込む手段は更に精度ｍを示す情報を読み込むように構成される、請求項１３に記載の装置。
【請求項１５】
前記装置は、前記リードイン部から読み込まれる情報に基づき前記ディスクの特定のフォーマットを認識するように構成される、請求項１３又は１４に記載の装置。
【発明の詳細な説明】
【技術分野】
【０００１】
本発明は一般には光ディスクに関し、より詳細には、光ディスク上の誤り訂正ブロックの位置のような物理的な位置への高速なアクセスのための方法及び装置に関する。
【背景技術】
【０００２】
読み取り専用コンパクトディスク（ＣＤ−ＲＯＭ）、記録可能なコンパクトディスク（ＣＤ−Ｒ）、再書き込み可能なコンパクトディスク（ＣＤ−ＲＷ）、読み取り専用ディジタル・バーサタイル・ディスク（ＤＶＤ−ＲＯＭ）、記録可能なディジタル・バーサタイル・ディスク（ＤＶＤ−Ｒ、ＤＶＤ＋Ｒ）及び再書込み可能なディジタル・バーサタイル・ディスク（ＤＶＤ−ＲＷ、ＤＶＤ＋ＲＷ）のような、現在のグルーブのみのフォーマットは、情報が線密度一定で保存された単一の螺旋を利用する。トラックに沿った位置は、ＤＶＤ＋ＲＷのＡＤＩＰにおける物理的なアドレス（ＰＡ）のような、前記トラック上のチャネルビットの数に比例する何らかの種類のアドレスによって示される。トラック番号及び角位置によるディスク上の位置は、多くの要因、とりわけ線密度の変化のために一定にならない。このことは高速アクセスのためには不利である。例えば、特定のアドレスにおける特定の誤り訂正符号（ＥＣＣ）ブロックがアクセスされるべきであるが、トラック番号及び角位置によっては該アドレスがディスク上のどこに配置されているか正確に知られない。ドライブにおいては、このことは総アクセス時間を増すアクセスの間の再試行に帰着する。
【発明の開示】
【発明が解決しようとする課題】
【０００３】
特に、パーソナルコンピュータ（ＰＣ）におけるフロッピー（登録商標）ドライブを置き換えるＣＤ−ＲＷ又はＤＶＤ＋ＲＷのような高速データアプリケーションにとっては、アクセス時間はますます重要になっていることは指摘されている。例えば、ＤＶＤ＋ＲＷについては線密度は±１．０５％だけ変動することが許容される。螺旋の全体の長さは１１８３６ｍに等しい。従って長さの変動は±１２４ｍに等しい。半径５８ｍｍにおける単一のトラックの長さは０．３６４ｍに等しい。従ってディスクの外側の半径に近いＰＡについてのトラック番号の変動は±３４０に等しい。数百個のトラックのジャンプについてさえ、不正確さは数トラックに等しい。この問題に対処しようとする１つの試みは、物理アドレスをトラック番号及び角位置と同期させることを提案する。しかしながらこの解決方法の実施は、ビット長の変動、新たなゾーンの先頭におけるバッファトラック、及び現在のフォーマットにおける実装の可能性がないことのような幾つかの不利点を持つ、ゾーン角速度一定（ゾーンＣＡＶ）方式である。
【０００４】
国際特許出願公開ＷＯ９８／２５２６５は、ディスク型の記録担体を用いるシステムを開示している。前記ディスク上の情報は、一定のビット長を持つビットセル（bit cell）によって構成されるマークによって表される。巻線から巻線までのビット長における差は、ビットの整数個分に等しい。それにより、トラックのどこかにおける情報ブロックの位置は、単純な方法で優れた精度で計算され得る。従って、前記情報への高速なアクセスが保証される。しかしながら、ＷＯ９８／２５２６５に開示されたような記録担体は、既存のドライブにおいては利用されることができない。更に、ＷＯ９８／２５２６５のシステムは、全ての既存のディスクフォーマットに適用され得るわけではない。従って、ＤＶＤ＋ＲＷ及びＤＶＤ＋Ｒのような再書き込み可能なバージョンを含む既知のＤＶＤフォーマットに関しては、巻線から巻線までのビット長における差がビットの整数個分となるようにディスクをフォーマットすることができない。このことは、変更が既存のプレイヤとはもはや互換でないディスクに帰着するため、トラックのピッチ及びビット長は一定となり変更できないという事実に因る。更に、巻線から巻線までのビット長における差がビットの整数個分となるようにディスクをフォーマットすることが可能なディスクフォーマットにおいては、選択されたビット長は他の目的には最適でない場合がある。例えばディスクの記録容量は可能な最高とならない場合がある。
【０００５】
本発明の目的は、記録担体上の情報への高速なアクセスを可能し、且つ既存のドライブと互換性のある記録担体を提供することにある。
【０００６】
本発明の他の目的は、既存のディスクフォーマットにおける利用に適した、記録担体上の情報への高速なアクセスを可能とする方法を提供することにある。
【０００７】
本発明の更に他の目的は、情報が高速な方法でアクセスされ得るような、記録担体上に情報を記録する及び／又は記録担体上の情報を読み込む装置を提供することにある。
【課題を解決するための手段】
【０００８】
本発明の第１の態様においては、上述の及びその他の目的は、光ディスクを含む記録担体であって、
略線速度一定でデータを記録及び／又は読み込むための連続的な螺旋状に巻かれたデータ領域と、
前記データ領域に存する各誤り訂正符号ブロックについて、所定の誤り訂正符号ブロックの物理アドレスと前記誤り訂正符号ブロックのデータ領域上の位置との間に一定の関係を備える、前記データ領域中の複数の同期要素と、
り訂正符号ブロックにアクセスするための前記ディスクの特定のフォーマットを示す情報を保存するリードイン部と、
を持つ記録担体によって実現される。
【０００９】
本発明の第２の態様においては、上述の及びその他の目的は、記録担体を製造する方法であって、
線密度一定でデータを記録及び／又は読み込むための連続的な巻かれたデータ領域を持つ光ディスクを備えるステップと、
前記データ領域中に複数の同期要素を備えるステップと、
前記データ領域に存する各誤り訂正符号ブロックについて、前記複数の同期要素によって、所定の誤り訂正符号ブロックの物理アドレスと前記誤り訂正符号ブロックのデータ領域上の位置との間の一定の関係を備えるステップと、
前記光ディスクにリードイン部を備えるステップと、
前記誤り訂正符号ブロックにアクセスするための前記ディスクの特定のフォーマットを示す情報を前記リードイン部に保存するステップと、
を有する方法によって実現される。
【００１０】
本発明の第３の態様においては、上述の及びその他の目的は、記録担体にデータを記録する及び／又は記録担体からデータを読み込む装置であって、前記記録担体は、略線密度一定でデータを記録及び／又は読み込むための連続的な螺旋状に巻かれたデータ領域と、前記データ領域に存する所定の誤り訂正符号ブロックにアクセスするためのディスクの特定のフォーマットを示す情報を保存するためのリードイン部を持つ光ディスクを含み、前記装置は、
前記データ領域の前記リードイン部から情報を読み込む手段と、
前記アクセスが実行されている間、前記誤り訂正符号ブロックの読み込み及び／又は書き込みのための所定の誤り訂正符号ブロックの位置にアクセスする手段と、
を有し、前記アクセスは前記リードイン部から読み込まれた情報に従って実行される装置によって実現される。
【００１１】
本発明の第１及び第２の態様を参照すると、前記記録担体の光ディスクは例えば、ＣＤ−ＲＯＭ、ＣＤ−Ｒ若しくはＣＤ−ＲＷのようなコンパクトディスクであっても良いし、例えばＤＶＤ−ＲＯＭ、ＤＶＤ−Ｒ、ＤＶＤ−ＲＷ若しくはＤＶＤ＋ＲＷのようなディジタル・バーサタイル・ディスクであっても良いし、又は他のいずれの適切な種類の光ディスクであっても良い。
【００１２】
前記光ディスクのデータは略一定の密度で記録される。なぜならこのことは前記光ディスクの記録容量の最適な利用を提供するからである。
【００１３】
前記ディスクの特定のフォーマットを示す情報は好ましくは、前記ディスクが該ディスク上に保存されたデータへの高速なアクセスを可能とする種類のものであることをドライブに通知するような種類のものである。従って、前記ドライブが前記ディスク上の特定のデータにアクセスする必要があるときは（又は、代替として、スタートアップの間の「１度だけ」）、当該情報をチェックするためにリードイン部に最初にアクセスしても良い。前記ディスクが本発明によるものである場合は、リードイン部中の情報はドライブに該ドライブが前記データに高速な方法でアクセスし得ることを通知する。かくして前記ドライブは、所定のＥＣＣブロックと前記ＥＣＣブロックのデータ領域上の位置との間に一定の関係が存在することを知り、次いで既知の物理アドレスから前記位置を算出し、かくして前記ＥＣＣブロックへの高速なアクセスを提供し得る。
【００１４】
一方、リードイン部がディスクが本発明によるものであることを示す情報を含まない場合、ドライブは通常の方法で所望のＥＣＣブロックにアクセスする。従って、本発明による記録担体上のデータにアクセスすることが可能なドライブは、先行技術の記録担体上のデータにアクセスすることも可能である。更に、本発明は既存の記録担体フォーマットに容易に適用され得る。従って、本発明の記録担体は既存の記録担体と「下位互換」である。このことは、新たな記録担体フォーマットを導入する必要なく高速なアクセスの可能性を導入することを可能とするため、非常に有利である。
【００１５】
更に、本発明による記録担体は、必要とされる算出を実行することができず、それ故データへの高速なアクセスを提供しないドライブにおいても利用され得る。この場合、前記記録担体上のデータは単に通常の（より遅い）方法でアクセスされる。従って本発明の記録担体は、既存のドライブとも「下位互換」である。このことは、新たな記録担体が既存のドライブにおいて利用されることができるため非常に有利であるが、この場合においては高速なアクセスの可能性は失われる。
【００１６】
とりわけ本発明は、ＤＶＤ＋ＲＷ及びＤＶＤ＋Ｒのような書き込み可能なバージョンを含む既知のＤＶＤフォーマットに適用され得る。更に、トラックのピッチ及びビット長は、巻線から巻線までのビット長の差がビットの整数個分となる必要があるという条件によって制限されない。従ってトラックのピッチ及びビット長は、例えばディスクの容量が可能な最大となるように、又は傾きや脱焦といった全ての種類の偏りのために十分なマージンが与えられるように等、他の要因が考慮に入れられるように選択され得る。従って本発明は、不必要な制限なく、トラックのピッチ及びビット長を選択する自由を提供する。このことは非常に有利である。
【００１７】
ＥＣＣブロックの位置は更に、ディスクのｎ回転後の同期要素の数と、ｎ回転後の同期要素の算出された公称の数（nominal number）とにおける仕様に従って定義されても良い。ここでｎはトラック番号である。
【００１８】
更にＥＣＣブロックの位置は、任意のｎ回転について±ｍ個の同期要素の精度で、ｎ回転後の同期要素の公称の数と等しい、前記ディスクのｎ回転後の同期要素の実際の数（actual number）に従って定義されても良い。この場合においてはリードイン部は好ましくは更に精度ｍを示す情報を保存する。
【００１９】
かくして、ＥＣＣブロックの位置の算出の精度に対する要求は、特定の精度を可能とすることにより緩和される。例えば、ｎ回転後の同期要素の数は、±ｍ個の同期要素分だけ前記公称の数から離れても良い。ｍは整数である必要はなく、いずれの数であっても良いことは留意されるべきである。好ましくは、規定される精度は、半回転よりも小さいといったように、１回転よりもかなり小さい。
【００２０】
代替として、又は加えて、ＥＣＣブロックの物理的なアドレスと前記ＥＣＣブロックのデータ領域上の位置との間の一定の関係は、前記同期要素と、前記ＥＣＣブロックの位置に対応するトラック番号及び角との間の既知の関係によって定義されても良い。
【００２１】
前記同期要素は、例えばウォブル、チャネルビット、サブコードフレーム、同期フレーム、記録フレーム、前記ディスクのデータ領域上の物理セクタ、及び／又はいずれの他の適切な種類の同期要素を有しても良い。
【００２２】
前記リードイン部は更に、前記データ領域上に存するＥＣＣブロックの少なくとも重要な一部の位置を保存しても良い。前記ＥＣＣブロックの全ての位置が保存されても良い。代替としては、前記ＥＣＣブロックの重要な一部のみが保存される。この場合においては、残りのＥＣＣブロックの位置は、前記保存された位置を利用した補間によって見出され得る。
【００２３】
本発明の方法は更に、前記同期要素によってディスク回転と書き込みクロックとの間の結合を提供するステップを有しても良い。
【００２４】
本発明の第３の態様を参照すると、前記データ領域上のＥＣＣブロックの位置は更に、任意のｎ回転について±ｍ個の同期要素の精度で、ｎ回転後の同期要素の算出された公称の数と等しい、前記ディスクのｎ回転後の同期要素の実際の数に従って定義されても良い。この場合において前記データ領域のリードイン部中の情報は更に精度ｍを示す情報を有しても良く、前記データ領域のリードイン部から情報を読み込む手段は更に精度ｍを表す情報を読み込むように構成されても良い。
【００２５】
更に前記装置は、前記リードイン部から読み込まれる情報に基づき前記ディスクの特定のフォーマットを認識するように構成されても良い。
【発明を実施するための最良の形態】
【００２６】
図１ａは、記録用のトラック９と中央穴１０を備えた記録担体１を示す。トラック９は、巻線３の螺旋パターンに従って配置される。図１ｂは、図１ａの記録担体１の線ｂ−ｂに沿った断面図である。ここで透明な基板５は、記録層６及び保護層７を備える。記録層６は、既知の再書き込み可能ＣＤ又は記録可能ＣＤのように情報を書き込む装置によって、例えば相変化を介して光書き込みが可能であっても良いし、又は光磁気書込み可能であっても良い。前記記録層はまた製造プロセスを介して情報を備えられ、該プロセスにおいては最初にマスタディスクがつくられ、続いてプレスを通して増加させられる。前記情報は、誤り訂正符号（ＥＣＣ）ブロックのような情報ブロックに組織化される。一実施例においては、再書き込み可能なタイプの記録担体上のトラック９は、空白の記録担体の製造の間に備えられるサーボパターンによって示される。前記サーボパターンは、書き込みヘッドが走査の間前記トラックを追従することを可能とするプリグルーブ４によって形成されても良い。前記プリグルーブは、より深い若しくは高くした部分として、又は周囲からは逸脱した物質特性として実装されても良い。代替として、前記サーボパターンはランド及びグルーブパターンと呼ばれる、高い及び深い巻線の交番から成っても良く、ここでランドからグルーブへ又はその逆の遷移は巻線毎に起こる。
【００２７】
記録領域は、ウォブルのような複数の同期要素を備える。前記同期要素は、所定のＥＣＣブロックの物理アドレスと、トラック番号及び角による記録領域上のＥＣＣブロックの現実の位置との間の一定の関係を提供する。
【００２８】
リードイン領域はプリグルーブ４のアクティブなデータ領域の内周の近くに配置され、リードアウト領域はプリグルーブ４のアクティブなデータ領域の外周の近くに配置される。１セクタ単位でアドレス情報を形成することなく光ディスク１にデータを書き込む方法として、前記データは１つのＥＣＣブロック単位で書き込まれる。このとき誤り訂正符号は誤りを訂正するために前記ＥＣＣブロックのどこかに含められる。図１を参照すると、本発明の実施例は記録担体１上に一定な線密度を達成する。ここではディスク１上のＥＣＣブロックの位置は一定であり、トラック番号及び角により既知である。
【００２９】
前記リードイン部はディスク１の特定のフォーマットを示す情報を有する。特定のＥＣＣブロックがアクセスされるべきであるとき、ドライブは、ディスク１が前記ＥＣＣブロックの高速なアクセスを可能とするタイプのものであるか否かを決定するために、前記リードイン部の情報を利用する。ディスクがかような種類のものである場合には、前記ドライブは、前記ＥＣＣの物理アドレスと、トラック番号及び角による前記記録領域上の前記ＥＣＣの現実の位置との間に一定の関係が存在することを引き出すために前記情報を利用する。このことを用いることにより、前記ドライブは問題となるＥＣＣブロックを前記物理アドレスを利用して容易に見出すことができる。前記ディスクがかような種類のものでない場合は、前記ＥＣＣブロックは通常の方法でアクセスされる。
【００３０】
図２は、ウォブルと呼ばれる、プリグルーブ４の物理パラメータの周期的な変化の例を示す。本例の前記周期的な変化は横方向の位置の変化である。前記ウォブルはトラッキングサーボセンサにおいてウォブル信号を生成する。前記ウォブルは例えば周波数変調され、アドレス、時間コード又は巻線情報のような位置情報は前記変調中に符号化される。サーボパターンもまた、例えば周期的にトラッキング信号を起こす規則的に分散されたサブパターンから成っても良い。更に前記サーボパターンは、例えばＤＶＤ−ＲＷにおけるように位置情報を符号化するための特定のパターンでランド・プリピットを持つ波状のプリグルーブのような前記ランド領域の変化を、プリグルーブ４の他に含んでも良い。
【００３１】
本発明の実施例は、ＣＤ−ＲＯＭ、ＣＤ−Ｒ、ＣＤ−ＲＷ、ＤＶＤ−ＲＯＭ、ＤＣＤ−Ｒ、ＤＶＤ＋Ｒ、ＤＶＤ−ＲＷ及びＤＶＤ＋ＲＷのような既存のグルーブのみのフォーマットの同様な公称状況を利用するが、線密度の代わりに、例えば各回転の後のチャネルビット又はウォブルによってトラック９の全体の長さを規定する。ＤＶＤ＋ＲＷについては、このことはｎ回転後のウォブルの数における規定となる。ここでｎはトラック番号である。ｎ回転後のウォブルの数は前記公称状況に関しては容易に算出されることができる。
【００３２】
本発明の実施例についての規定はこのとき、例えば次のように示されることができる：「任意のｎについて、ｎ回転後のウォブルの実際の数は、±ｍウォブルの精度で、ｎ回転後のウォブルの公称の数と等しくなるべきである」。「ｎ回転後のウォブルの数」及びｍは整数である必要はなく、角位置（±ｘラジアン）による特定が利用されても良いことに留意されたい。マスタリングの間、ｎ回転後のウォブルの実際の数と前記公称の数との間の差は、ディスク１の回転周期は一定に保たれると仮定すると、書き込みクロックの周波数を調節するために誤り信号として利用されることができる。より正確な制御のため、前記誤り信号は、各回転について幾つかの角位置において生成されても良い。
【００３３】
本発明の実施例についてのディスクのマスタリングの制約の他の態様は、例えばより厳格なマージンを提供することを含む。トラックのピッチ及び開始角の変動は、線密度の変動となる。ＤＶＤ＋ＲＷについては、トラックのピッチは情報領域に渡って平均して±１．３５％の精度を持ち、これは外周近くにおいて±０．７９％の線密度の変動になる。このことは、最大に許容された変化±１．０５％のうち既にかなりの部分である。本発明の態様は、例えばトラックのピッチにおける許容誤差を±０．８３％のＤＶＲ値に減少し、線形変化の影響を±０．４９％に減少させることを含む。
【００３４】
ＤＶＤ＋ＲＷについての開始半径の最大の許容されるずれは規定されていないが、ＤＶＤ−ＲＯＭについては−０．８３％に等しく、内周近くにおいて線密度の−０．８３％の変化となり、これもまた±１．０５％のかなりの部分である。開始半径が２４．０ｍｍの代わりに２３．８ｍｍであり、トラックのピッチが０．７４マイクロメートルの代わりに０．７３マイクロメートルであるという最悪のシナリオにおいては、公称線密度からの最大のずれは、外周近くで−０．９９％となる。これは許容されるずれ±１．０５％のちょうど範囲内である。
【００３５】
図３は記録担体１を走査する読み込み装置を示す。光ディスクへの情報の書き込み及び光ディスクからの情報の読み込み、並びにフォーマット、誤り訂正及びチャネル符号化の規則は、例えばＣＤシステムから当分野においては知られている。図３の装置は、図１ａ及び図１ｂの記録担体１と同一である記録担体１を読み込むように構成されている。前記装置は、記録担体１上のトラックを走査する読み込みヘッド５２と、記録担体１を回転させるドライブユニット５５、例えばチャネル復号化器と誤り訂正器を有する読み込み回路５３、トラッキングユニット５１、及びシステム制御ユニット５６を有する読み取り制御手段とを備える。読み込みヘッド５２は、放射ビーム６５を介して記録担体１の記録層のトラック上にフォーカスされる放射スポット６６を生成するための通常のタイプの光学素子を有し、前記放射ビーム６５は該光学素子を通して誘導される。放射ビーム６５は、例えばレーザダイオードのような放射源によって生成される。読み込みヘッド５２は更に、前記記録層に放射ビーム６５をフォーカスするためのフォーカス・アクチュエータと、半径方向における前記トラックの中央にスポット６６の位置を微調整するトラッキング・アクチュエータ５９とを有する。前記装置は、読み込みヘッド５２を前記トラック上の半径方向に粗く位置決めする位置決めユニット５４を持つ。トラッキング・アクチュエータ５９は光学素子を半径方向に移動させるためのコイルを有しても良く、又は読み込みヘッド５２の可動部における若しくは固定位置に据え付けられた光学系の一部の場合は固定位置の一部における反射素子の角度を変化させるように構成されても良い。前記記録層によって反射される放射は、読み込み信号、トラッキング誤り及びフォーカス誤り信号を含む検出器信号５７を生成するために、例えば４象現ダイオードのような通常のタイプの検出器によって検出される。トラッキングユニット５１は、読み込みヘッド５２から前記トラッキング誤り信号を受信し、トラッキング・アクチュエータ５９を制御するために、読み込みヘッド５２と結合される。読み込みの間、前記読み込み信号は、読み込み回路５３において矢印６４によって示される出力情報に変換される。前記装置は、記録担体１のサーボトラックの走査のとき、検出器信号５７に含まれるウォブル信号からアドレス情報を検出及び取得するための復調器５０を備える。前記装置は更に、制御コンピュータシステムから又はユーザからコマンドを受信し、例えばドライブユニット５５、位置決めユニット５４、復調器５０、トラッキングユニット５１及び読み込み回路５３に接続されたシステムバスのような制御線５８を介して前記装置を制御するための、システム制御ユニット５６を備える。この目的のために、前記システム制御ユニットは以下に説明される手順を実行するマイクロプロセッサ、プログラムメモリ及び制御ゲートのような制御回路を有する。システム制御ユニット５６は論理回路における状態機械として実装されても良い。
【００３６】
図３の読み込み装置は、例えば連続的なウォブルのような周期的な変化を持つトラックを持つディスク１を読み込むように構成される。前記読み込み制御ユニットは、前記周期的な変化を検出し、該変化に依存して前記トラックから所定の量のデータを読み込むように構成される。とりわけ、前記読み込み制御ユニットは、ディスク１のリードイン部から情報を読み込み、該情報に基づきディスク１上の特定のＥＣＣブロックにアクセスするように構成される。ディスク１のリードイン部中の情報は有利にもスタートアップの間に読み込まれても良い。かくして前記装置は、ディスク１がディスク１上に含まれるデータへの高速なアクセスを許容する種類のものであるか否かを最初にチェックしても良く、かくして前記装置は次いで、ディスク１がかような種類のものである場合には高速な方法でディスク１上のデータにアクセスし、ディスク１がかような種類のものでない場合には通常の方法でアクセスしても良い。
【００３７】
図４は、例えば電磁気放射のビーム６５によって（位相変化又は色素を介して）光磁気的な又は光学的な方法で（再）書き込み可能なタイプの、本発明による記録担体１に情報を書き込む装置を示す。前記装置は読み込みのためにも備えられ、従って、図３に関連して上述した読み込みのための装置と同様の要素を有するが、前記装置が図３の装置の読み込みヘッド５２の代わりに書き込み／読み込みヘッド６２と、図３の装置の読み込み制御手段と同様の要素を有する記録制御手段とを持ち、更に例えばフォーマッタ、誤り符号化器及びチャネル符号化器を有する書き込み回路６０を有する点を除く。書き込み／読み込みヘッド６２は書き込み機能と共に読み込みヘッド５２と同様の機能を持ち、書き込み回路６０と結合される。書き込み回路６０の入力部に提示される情報（矢印６３によって示される）は、フォーマット及び符号化規則に従って論理及び物理セクタに渡って分散され、書き込み／読み込みヘッド６２用の書き込み信号６１に変換される。システム制御ユニット５６は、書き込み回路６０を制御するように構成される。とりわけ、書き込み／読み込みヘッド６２は、記録担体１のリードイン部に、記録担体１が記録担体１上の情報の高速なアクセスを可能とする種類のものであることを示す情報を書き込むように構成される。
【００３８】
かくして、記録担体上の情報への高速なアクセスを可能とし、且つ既存のディスクフォーマット及びドライブと互換である、記録担体を製造する方法及び記録担体が提供された。更に、高速なアクセスを用いて、記録担体上に情報を書き込む及び／又は記録担体上の情報を読み込む装置が提供された。
【図面の簡単な説明】
【００３９】
【図１（ａ）】本発明の実施例における利用のための記録用のプリグルーブを持つディスク型の記録担体の上面図である。
【図１（ｂ）】図１ａの記録担体の線ｂ−ｂに沿った断面図である。
【図２】プリグルーブの周期的変調即ちウォブルの例を示す。
【図３】記録担体から情報を読み込む装置を示す。
【図４】記録担体に情報を書き込む装置を示す。
【図１ａ】
2005510003.tif 000003
【図１ｂ】
2005510003.tif 000004
【図２】
2005510003.tif 000005
【図３】
2005510003.tif 000006
【図４】
2005510003.tif 000007
【国際調査報告】
2005510003.tif 000008
2005510003.tif 000009